【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
封入型構成要素ウェブを連続的に生産するための工程であって、
互いに離間された少なくとも２枚の連続封入フィルムを生産ラインの長手軸に沿って搬送するステップと、
少なくとも１つの封入可能構成要素を前記生産ラインの前記長手軸に沿って前記２枚の連続封入フィルムの間に搬送するステップと、
前記少なくとも１つの封入可能構成要素が前記生産ラインの前記長手軸に沿って搬送されている間に、前記少なくとも１つの封入可能構成要素のうちの少なくとも１つを横方向に同時に移動させるステップと、
前記少なくとも１つの封入可能構成要素が前記少なくとも２枚の連続封入フィルムのうちの２枚の間に延在している状態で、前記少なくとも２枚の連続封入フィルムおよび前記少なくとも１つの封入可能構成要素を含む組立体を重ね合わせるステップと、 
前記組立体を積層して、前記少なくとも１つの封入可能構成要素を前記少なくとも２枚の連続封入フィルムの間に封入するステップと
を含む、工程。
【請求項２】
前記重ね合わせるステップが、前記組立体を少なくとも２つの隣接ロールの間に画定されたニップ内に搬送することをさらに含み、また、前記生産ラインの前記長手軸が、前記２つの隣接ロールの回転軸に対して実質的に垂直である、請求項１に記載の工程。
【請求項３】
前記少なくとも２枚の連続封入フィルムを前記搬送するステップが、前記少なくとも２枚の連続封入フィルムのうちの少なくとも１枚を加熱してその内側面上に設けられた加熱活性化接着剤層を活性化することをさらに含む、請求項２に記載の工程。
【請求項４】
前記活性化することが、前記接着剤層を加熱することを含む、請求項３に記載の工程。
【請求項５】
前記積層するステップが、前記組立体が前記生産ラインを通して搬送されている間に行われる、請求項１から４のいずれか一項に記載の工程。
【請求項６】
前記少なくとも２枚の連続封入フィルムのうちの少なくとも１枚が、その内側面上に接着剤層を含む、請求項１から５のいずれか一項に記載の工程。
【請求項７】
前記横方向に移動される少なくとも１つの封入可能構成要素のうちの少なくとも１つが、導電体を含む、請求項１から６のいずれか一項に記載の工程。
【請求項８】
前記導電体が、電線および電気テキスタイルのうちの少なくとも一方を含む、請求項７に記載の工程。
【請求項９】
前記導電体が、少なくとも１枚の連続電気テキスタイルストリップを含み、また、前記挿入するステップが、前記少なくとも１枚の連続電気テキスタイルストリップを前記少なくとも２枚の連続封入フィルムの間にかつ前記生産ラインの前記長手軸に対して実質的に平行に搬送することをさらに含む、請求項７に記載の工程。
【請求項１０】
前記少なくとも１枚の電気テキスタイルストリップが、少なくとも１本の電線を有する織物テキスタイルストリップを含む、請求項９に記載の工程。
【請求項１１】
前記少なくとも１枚の電気テキスタイルストリップが、複数の導電性粒子を有する不織ファブリックを含む、請求項９に記載の工程。
【請求項１２】
封入型構成要素ウェブを連続的に生産するための工程であって、
互いに離間された少なくとも２枚の連続封入フィルムを生産ラインの長手軸に沿って搬送するステップと、
少なくとも１つの封入可能構成要素を、前記生産ラインの前記長手軸に対して実質的に垂直に延在する横断軸に沿って前記少なくとも２枚の連続封入フィルムの間に挿入するステップと、
前記少なくとも１つの封入可能構成要素が前記少なくとも２枚の連続封入フィルムのうちの２枚の間に延在している状態で、前記少なくとも２枚の連続封入フィルムおよび前記少なくとも１つの封入可能構成要素を含む組立体を重ね合わせるステップと、
前記組立体を積層して、前記少なくとも１つの封入可能構成要素を前記少なくとも２枚の連続封入フィルムの間に封入するステップと
を含む、工程。
【請求項１３】
少なくとも１つの封入可能構成要素が、電気テキスタイルを含む、請求項１２に記載の工程。
【請求項１４】
前記電気テキスタイルが、少なくとも１本の電線を有する織物テキスタイルストリップおよび複数の導電性粒子を有する不織ファブリックのうちの少なくとも一方を含む、請求項１３に記載の工程。
【請求項１５】
２枚の封入フィルムの間に積層された少なくとも１枚の電気テキスタイルストリップを含む、封入型電気テキスタイル。
【請求項１６】
前記２枚の封入フィルムのうちの少なくとも１枚が、高分子フィルムを含む、請求項１５に記載の封入型電気テキスタイル。
【請求項１７】
前記少なくとも１枚の電気テキスタイルストリップが、少なくとも１本の電線を有する織物テキスタイルストリップを含む、請求項１５または１６に記載の封入型電気テキスタイル。
【請求項１８】
前記少なくとも１枚の電気テキスタイルストリップが、複数の導電性粒子を有する不織ファブリックを含む、請求項１５から１７のいずれか一項に記載の封入型電気テキスタイル。
【請求項１９】
前記２枚の封入フィルムがのうちの少なくとも１枚が、その内側面上に接着剤層を含む、請求項１５から１８のいずれか一項に記載の封入型電気テキスタイル。
【請求項２０】
前記接着剤層が、前記内側面に沿った連続的な層および不連続的な層のうちの少なくとも一方である、請求項１９に記載の封入型電気テキスタイル。
【請求項２１】
前記２枚の封入フィルムの間に積層された少なくとも１本の細長いワイヤをさらに含む、請求項１５から２０のいずれか一項に記載の封入型電気テキスタイル。
【請求項２２】
前記少なくとも１本の細長いワイヤのうちの少なくとも１本が、波形パターンに沿って延在する、請求項２１に記載の封入型電気テキスタイル。
【請求項２３】
前記少なくとも１本の細長いワイヤのうちの少なくとも１本が、導電体である、請求項２１または２２に記載の封入型電気テキスタイル。
【請求項２４】
前記２枚の封入フィルムのうちの少なくとも１枚が、その外側面上に接着剤層を含む、請求項１５から２３のいずれか一項に記載の封入型電気テキスタイル。
【請求項２５】
前記２枚の封入フィルムの間に積層された、シリコン、テフロン（登録商標）、および蝋のうちの少なくとも１つで被覆された少なくとも１枚の紙ストリップをさらに含む、請求項１５から２４のいずれか一項に記載の封入型電気テキスタイル。
【請求項２６】
波形パターンに沿って延在しかつ２枚の封入フィルムの間に積層された少なくとも１つの細長い構成要素を含む、封入型細長構成要素。
【請求項２７】
前記２枚の封入フィルムのうちの前記少なくとも１枚が、高分子フィルムを含む、請求項２６に記載の封入型細長構成要素。
【請求項２８】
前記少なくとも１つの細長い構成要素が、細長い導電体を含む、請求項２６または２７に記載の封入型細長構成要素。
【請求項２９】
前記２枚の封入フィルムのうちの少なくとも１枚が、その内側面上に接着剤層を含む、請求項２６から２８のいずれか一項に記載の封入型細長構成要素。
【請求項３０】
前記接着剤層が、前記内側面に沿った連続的な層および不連続的な層のうちの少なくとも一方である、請求項２９に記載の封入型細長構成要素。
【請求項３１】
前記２枚の封入フィルムのうちの少なくとも１枚が、その外側面上に接着剤層を含む、請求項２６から３０のいずれか一項に記載の封入型細長構成要素。
【請求項３２】
実質的に対称的な波形パターンに沿って延在する少なくとも２つの細長い構成要素を含む、請求項２６から３１のいずれか一項に記載の封入型細長構成要素。
【手続補正２】
【補正対象書類名】明細書
【補正対象項目名】０２１９
【補正方法】変更
【補正の内容】
【０２１９】
本明細書において、幾つかの代替的な実施形態および実例を説明および図示してきた。上記の本発明の実施形態は、単に例示的なものとして意図されたものにすぎない。当業者であれば、個々の実施形態の特徴、ならびに各構成部品の可能な組み合わせおよび変形について理解するであろう。さらに、各実施形態のいずれも、本明細書において開示された他の実施形態との任意の組み合わせで提供することができることは、当業者であれば理解するはずである。本発明をその精神または中心的な特性から逸脱することなく他の特定の形態で具現化できることが理解される。したがって、本実例および実施形態は、あらゆる点で例示的なものであって限定的なものではないと考慮されるべきであり、また、本発明は、本明細書において提示された詳細に限定してはならない。したがって、特定の実施形態を図示および説明してきたが、本発明の精神から大きく逸脱することなく、多数の修正形態が思い浮かぶ。したがって、本発明の範囲は、単に添付の特許請求の範囲によって限定されることを意図されたものである。
本発明は以下の態様の発明を含む。
［１］
封入型構成要素ウェブを連続的に生産するための工程であって、
互いに離間された少なくとも２枚の連続封入フィルムを生産ラインの長手軸に沿って搬送するステップと、
少なくとも１つの封入可能構成要素を前記生産ラインの前記長手軸に沿って前記２枚の連続封入フィルムの間に搬送するステップと、
前記少なくとも１つの封入可能構成要素が前記生産ラインの前記長手軸に沿って搬送されている間に、前記少なくとも１つの封入可能構成要素のうちの少なくとも１つを横方向に同時に移動させるステップと、
前記少なくとも１つの封入可能構成要素が前記少なくとも２枚の連続封入フィルムのうちの２枚の間に延在している状態で、前記少なくとも２枚の連続封入フィルムおよび前記少なくとも１つの封入可能構成要素を含む組立体を重ね合わせるステップと、 
前記組立体を積層して、前記少なくとも１つの封入可能構成要素を前記少なくとも２枚の連続封入フィルムの間に封入するステップと
を含む、工程。
［２］
前記重ね合わせるステップが、前記組立体を少なくとも２つの隣接ロールの間に画定されたニップ内に搬送することをさらに含み、また、前記生産ラインの前記長手軸が、前記２つの隣接ロールの回転軸に対して実質的に垂直である、［１］に記載の工程。
［３］
前記重ね合わせるステップが、前記ニップ内の前記組立体に圧力を加えることをさらに含む、［２］に記載の工程。
［４］
前記移動させるステップが、前記少なくとも１つの封入可能構成要素のうちの前記少なくとも１つが係合される案内部材を前記生産ラインの横断軸に沿って並進させることを含む、［２］または［３］に記載の工程。
［５］
前記案内部材が、前記生産ラインに沿って前記ニップに隣接しかつ前記ニップの上流に設けられた細長い軌道に、摺動可能に取り付けられている、［４］に記載の工程。
［６］
前記移動させるステップが、前記案内部材の移動を制御することを含む、［４］または［５］に記載の工程。
［７］
前記少なくとも２枚の連続封入フィルムを前記搬送するステップが、前記少なくとも２枚の連続封入フィルムのうちの少なくとも１枚を加熱してその内側面上に設けられた加熱活性化接着剤層を活性化することをさらに含む、［２］から［６］のいずれか一項に記載の工程。
［８］
前記加熱することが前記ニップの上流で行われる、［７］に記載の工程。
［９］
前記積層するステップが、前記少なくとも２枚の連続封入フィルムのうちの少なくとも１枚の内側面上に延在する接着剤層を活性化して前記接着剤層を硬化させることをさらに含む、［１］から［６］のいずれか一項に記載の工程。
［１０］
前記活性化することが、前記接着剤層を加熱することを含む、［９］に記載の工程。
［１１］
前記積層するステップが、前記組立体が前記生産ラインを通して搬送されている間に行われる、［１］から［１０］のいずれか一項に記載の工程。
［１２］
前記搬送するステップが、少なくとも２つの細長い封入可能構成要素を前記生産軸に沿って搬送することを含み、また、前記移動させるステップが、前記少なくとも２つの細長い封入可能構成要素が前記生産ラインの前記長手軸に沿って搬送されている間に同時にそれらを横方向に移動させることを含む、［１］から［１０］のいずれか一項に記載の工程。
［１３］
前記移動させるステップが、前記少なくとも２つの細長い封入可能構成要素を同じ方向に同じ距離だけ同時に横方向に移動させることをさらに含み、封入された前記細長い構成要素が、前記封入型構成要素ウェブにおいて互いに実質的に平行して延在する、［１２］に記載の工程。
［１４］
前記移動させるステップが、前記少なくとも２つの細長い封入可能構成要素を反対方向に同じ距離だけ同時に横方向に移動させることをさらに含み、封入された前記細長い構成要素が、前記封入型構成要素ウェブにおいて対称的なパターンを画定する、［１２］に記載の工程。
［１５］
少なくとも１つの封入可能構成要素を前記生産ラインの前記長手軸に対して実質的に垂直に延在する横断軸に沿って前記少なくとも２枚の連続封入フィルムの間に挿入するステップをさらに含み、前記横断軸に沿って挿入された前記少なくとも１つの封入可能構成要素が、前記重ね合わせられた組立体において前記少なくとも２枚の連続封入フィルムの間に延在する、［１］から［１４］のいずれか一項に記載の工程。
［１６］
前記少なくとも２枚の連続封入フィルムのうちの少なくとも１枚が、高分子フィルムを含む、［１］から［１５］のいずれか一項に記載の工程。
［１７］
前記少なくとも２枚の連続封入フィルムのうちの少なくとも１枚が、その内側面上に接着剤層を含む、［１］から［１６］のいずれか一項に記載の工程。
［１８］
前記接着剤層が、前記少なくとも２枚の連続封入フィルムのうちの前記少なくとも１枚の前記内側面に沿った、連続的な層および不連続的な層のうちの少なくとも一方である、［１７］に記載の工程。
［１９］
前記少なくとも２枚の連続封入フィルムを前記搬送するステップが、前記少なくとも２枚の連続封入フィルムを少なくとも２つのロール供給源から展開することを含む、［１］から［１８］のいずれか一項に記載の工程。
［２０］
前記横方向に移動される少なくとも１つの封入可能構成要素のうちの少なくとも１つが、細長いワイヤを含む、［１］から［１４］のいずれか一項に記載の工程。
［２１］
前記横方向に移動される少なくとも１つの封入可能構成要素のうちの少なくとも１つが、導電体を含む、［１］から［１４］のいずれか一項に記載の工程。
［２２］
前記導電体が、電線および電気テキスタイルのうちの少なくとも一方を含む、［２１］に記載の工程。
［２３］
前記導電体が、少なくとも１本の連続的な導電性ワイヤを含む、［２２］に記載の工程。
［２４］
前記導電体が、少なくとも１枚の連続電気テキスタイルストリップを含み、また、前記挿入するステップが、前記少なくとも１枚の連続電気テキスタイルストリップを前記少なくとも２枚の連続封入フィルムの間にかつ前記生産ラインの前記長手軸に対して実質的に平行に搬送することをさらに含む、［２１］に記載の工程。
［２５］
前記少なくとも１枚の電気テキスタイルストリップが、少なくとも１本の電線を有する織物テキスタイルストリップを含む、［２４］に記載の工程。
［２６］
前記少なくとも１枚の電気テキスタイルストリップが、複数の導電性粒子を有する不織ファブリックを含む、［２４］に記載の工程。
［２７］
前記少なくとも２枚の連続封入フィルムのうちの少なくとも１枚が、その外側面上に接着剤層を含む、［１］から［２６］のいずれか一項に記載の工程。
［２８］
前記横方向に移動される少なくとも１つの封入可能構成要素のうちの前記少なくとも１つが、少なくとも１つの導電体を含む、［１］から［２７］のいずれか一項に記載の工程によって得られる、封入された導電体。
［２９］
前記横方向に移動される少なくとも１つの封入可能構成要素のうちの前記少なくとも１つが、少なくとも１つの細長い封入可能構成要素を含む、［１］から［２７］のいずれか一項に記載の工程によって得られる封入型細長構成要素。
［３０］
封入型構成要素ウェブを連続的に生産するための工程であって、
互いに離間された少なくとも２枚の連続封入フィルムを生産ラインの長手軸に沿って搬送するステップと、
少なくとも１つの封入可能構成要素を、前記生産ラインの前記長手軸に対して実質的に垂直に延在する横断軸に沿って前記少なくとも２枚の連続封入フィルムの間に挿入するステップと、
前記少なくとも１つの封入可能構成要素が前記少なくとも２枚の連続封入フィルムのうちの２枚の間に延在している状態で、前記少なくとも２枚の連続封入フィルムおよび前記少なくとも１つの封入可能構成要素を含む組立体を重ね合わせるステップと、
前記組立体を積層して、前記少なくとも１つの封入可能構成要素を前記少なくとも２枚の連続封入フィルムの間に封入するステップと
を含む、工程。
［３１］
前記重ね合わせるステップが、前記組立体を少なくとも２つの隣接ロールの間に画定されたニップ内に搬送することをさらに含み、また、前記生産ラインの前記長手軸が、前記２つの隣接ロールの回転軸に対して実質的に垂直であり、また、前記挿入するステップが、前記少なくとも１つの封入可能構成要素を前記横断軸に沿って延在する案内部材に挿入し、次いで前記案内部材に挿入された前記少なくとも１つの封入可能構成要素を前記長手軸に沿って前記ニップの方へ搬送することを含む、［３０］に記載の工程。
［３２］
前記少なくとも１つの封入可能構成要素を案内部材に前記挿入することが、前記少なくとも１つの封入可能構成要素を前記横断軸に沿って前記案内部材に押し込むことをさらに含む、［３１］に記載の工程。
［３３］
前記少なくとも１つの封入可能構成要素を案内部材に前記挿入することが、前記少なくとも１つの封入可能構成要素を前記横断軸に沿って前記案内部材の中に引き入れることをさらに含む、［３１］に記載の工程。
［３４］
前記引き入れることが、並進可能部材を用いて前記少なくとも１つの封入可能構成要素を挟持すること、前記並進可能部材を前記横断軸に沿って並進させること、および、前記挟持された少なくとも１つの封入可能構成要素を前記案内部材内に解放することをさらに含む、［３３］に記載の工程。
［３５］
前記重ね合わせるステップが、前記ニップ内の前記組立体に圧力を加えることをさらに含む、［３１］から［３４］のいずれか一項に記載の工程。
［３６］
前記少なくとも１つの封入可能構成要素が、所定の長さ、および長手軸を有し、前記少なくとも１つの封入可能構成要素の前記長手軸が、前記重ね合わせられた組立体において前記横断軸に対して実質的に平行である、［３０］から［３５］のいずれか一項に記載の工程。
［３７］
少なくとも１つの封入可能構成要素を前記生産ラインの前記長手軸に沿って前記２枚の連続封入フィルムの間に搬送するステップと、前記少なくとも１つの封入可能構成要素が前記生産ラインの前記長手軸に沿って搬送されている間に同時にその前記少なくとも１つの封入可能構成要素を前記少なくとも２枚の連続封入フィルムの間に挿入するステップとをさらに含み、前記少なくとも１つの封入可能構成要素が、前記重ね合わせられた組立体において前記少なくとも２枚の連続封入フィルムの間に延在する、［３０］から［３６］のいずれか一項に記載の工程。
［３８］
前記少なくとも１つの封入可能構成要素が前記生産ラインの前記長手軸に沿って搬送されている間に同時に前記少なくとも１つの封入可能構成要素のうちの少なくとも１つを横方向に移動させるステップをさらに含む、［３７］に記載の工程。
［３９］
前記少なくとも２枚の連続封入フィルムを前記搬送するステップが、前記少なくとも２枚の連続封入フィルムのうちの少なくとも１枚を加熱してその内側面上に設けられた加熱活性化接着剤層を活性化することをさらに含む、［３１］から［３８］のいずれか一項に記載の工程。
［４０］
前記加熱することが前記ニップの上流で行われる、［３９］に記載の工程。
［４１］
前記積層するステップが、前記少なくとも２枚の連続封入フィルムのうちの少なくとも１枚の内側面上に延在する接着剤層を活性化して前記接着剤層を硬化させることをさらに含む、［３０］から［３８］のいずれか一項に記載の工程。
［４２］
前記活性化することが、前記接着剤層を加熱することを含む、［４１］に記載の工程。
［４３］
前記積層するステップが、前記組立体が前記生産ラインを通して搬送されている間に行われる、［３０］から［４２］のいずれか一項に記載の工程。
［４４］
前記横断軸に沿って挿入される少なくとも１つの封入可能構成要素が、細長い非導電性ワイヤ、導電性ワイヤ、導電性ストリップ、および非導電性材料ストリップのうちの少なくとも１つを含む、［３０］から［４３］のいずれか一項に記載の工程。
［４５］
少なくとも１つの封入可能構成要素が、電気テキスタイルを含む、［３０］から［４３］のいずれか一項に記載の工程。
［４６］
前記電気テキスタイルが、少なくとも１本の電線を有する織物テキスタイルストリップおよび複数の導電性粒子を有する不織ファブリックのうちの少なくとも一方を含む、［４５］に記載の工程。
［４７］
少なくとも１つの封入可能構成要素が、紙ストリップを含む、［３０］から［４３］のいずれか一項に記載の工程。
［４８］
前記紙ストリップが、シリコン、テフロン（登録商標）、および蝋のうちの少なくとも１つで被覆された紙ストリップを含む、［４７］に記載の工程。
［４９］
前記少なくとも２枚の連続封入フィルムのうちの少なくとも１枚が、高分子フィルムを含む、［３０］から［４８］のいずれか一項に記載の工程。
［５０］
前記少なくとも２枚の連続封入フィルムのうちの少なくとも１枚が、その内側面上に接着剤層を含む、［３０］から［４９］のいずれか一項に記載の工程。
［５１］
前記接着剤層が、前記少なくとも２枚の連続封入フィルムのうちの前記少なくとも１枚の前記内側面に沿った、連続的な層および不連続的な層のうちの少なくとも一方である、［５０］に記載の工程。
［５２］
２枚の封入フィルムの間に積層された少なくとも１枚の電気テキスタイルストリップを含む、封入型電気テキスタイル。
［５３］
前記２枚の封入フィルムのうちの少なくとも１枚が、高分子フィルムを含む、［５２］に記載の封入型電気テキスタイル。
［５４］
前記少なくとも１枚の電気テキスタイルストリップが、少なくとも１本の電線を有する織物テキスタイルストリップを含む、［５２］または［５３］に記載の封入型電気テキスタイル。
［５５］
前記少なくとも１枚の電気テキスタイルストリップが、複数の導電性粒子を有する不織ファブリックを含む、［５２］から［５４］のいずれか一項に記載の封入型電気テキスタイル。
［５６］
前記２枚の封入フィルムがのうちの少なくとも１枚が、その内側面上に接着剤層を含む、［５２］から［５５］のいずれか一項に記載の封入型電気テキスタイル。
［５７］
前記接着剤層が、前記内側面に沿った連続的な層および不連続的な層のうちの少なくとも一方である、［５６］に記載の封入型電気テキスタイル。
［５８］
前記２枚の封入フィルムの間に積層された少なくとも１本の細長いワイヤをさらに含む、［５２］から［５７］のいずれか一項に記載の封入型電気テキスタイル。
［５９］
前記少なくとも１本の細長いワイヤのうちの少なくとも１本が、波形パターンに沿って延在する、［５８］に記載の封入型電気テキスタイル。
［６０］
前記少なくとも１本の細長いワイヤのうちの少なくとも１本が、導電体である、［５８］または［５９］に記載の封入型電気テキスタイル。
［６１］
前記２枚の封入フィルムのうちの少なくとも１枚が、その外側面上に接着剤層を含む、［５２］から［６０］のいずれか一項に記載の封入型電気テキスタイル。
［６２］
前記２枚の封入フィルムの間に積層された、シリコン、テフロン（登録商標）、および蝋のうちの少なくとも１つで被覆された少なくとも１枚の紙ストリップをさらに含む、［５２］から［６１］のいずれか一項に記載の封入型電気テキスタイル。
［６３］
波形パターンに沿って延在しかつ２枚の封入フィルムの間に積層された少なくとも１つの細長い構成要素を含む、封入型細長構成要素。
［６４］
前記２枚の封入フィルムのうちの前記少なくとも１枚が、高分子フィルムを含む、［６３］に記載の封入型細長構成要素。
［６５］
前記少なくとも１つの細長い構成要素が、細長い導電体を含む、［６３］または［６４］に記載の封入型細長構成要素。
［６６］
前記２枚の封入フィルムのうちの少なくとも１枚が、その内側面上に接着剤層を含む、［６３］から［６５］のいずれか一項に記載の封入型細長構成要素。
［６７］
前記接着剤層が、前記内側面に沿った連続的な層および不連続的な層のうちの少なくとも一方である、［６６］に記載の封入型細長構成要素。
［６８］
前記２枚の封入フィルムのうちの少なくとも１枚が、その外側面上に接着剤層を含む、［６３］から［６７］のいずれか一項に記載の封入型細長構成要素。
［６９］
シリコン、テフロン（登録商標）、および蝋のうちの少なくとも１つで被覆されかつ前記２枚の封入フィルムの間に積層された少なくとも１枚の紙ストリップをさらに含む、［６３］から［６８］のいずれか一項に記載の封入型細長構成要素。
［７０］
前記波形パターンに沿って互いに実質的に平行して延在する少なくとも２つの細長い構成要素を含む、［６３］から［６９］のいずれか一項に記載の封入型細長構成要素。
［７１］
実質的に対称的な波形パターンに沿って延在する少なくとも２つの細長い構成要素を含む、［６３］から［６９］のいずれか一項に記載の封入型細長構成要素。
［７２］
非対称的な波形パターンに沿って延在する少なくとも２つの細長い構成要素を含む、［６３］から［６９］のいずれか一項に記載の封入型細長構成要素。
［７３］
封入型構成要素ウェブを連続的に生産するための装置であって、
長手軸を有する生産ラインと、
間にニップを画定する少なくとも２つの隣接ロールと、
少なくとも２つの連続封入フィルム供給源を支持しかつ前記少なくとも２つの連続封入フィルム供給源から少なくとも２枚の連続封入フィルムを供給するように構成された少なくとも２つの封入フィルム支持体であって、前記生産ラインに沿って前記少なくとも２つの隣接ロールの上流に取り付けられている、少なくとも２つの封入フィルム支持体と、
少なくとも１つの封入可能構成要素を供給して前記２枚の連続封入フィルムの間に挿入するように構成された少なくとも１つの封入可能構成要素送り装置であって、前記生産ラインに沿って前記少なくとも２つの隣接ロールの上流に取り付けられている、少なくとも１つの封入可能構成要素送り装置と、
前記少なくとも１つの封入可能構成要素送り装置によって供給された前記少なくとも１つの封入可能構成要素のうちの少なくとも１つを横方向に移動させるための少なくとも１つの並進ユニットであって、前記生産ラインに沿って前記少なくとも２つの隣接ロールの上流に、また前記少なくとも１つの封入可能構成要素送り装置の下流に取り付けられている、少なくとも１つの並進ユニットと
を含む、装置。
［７４］
前記少なくとも１つの並進ユニットが、前記ニップに隣接して取り付けられている、［７３］に記載の装置。
［７５］
前記少なくとも１つの並進ユニットが、前記生産ラインの前記長手軸に垂直をなす横断軸に沿って延在する少なくとも１つの細長い軌道と、前記細長い軌道に摺動可能に取り付けられかつ少なくとも１つの案内部材がそれに取り付けられた少なくとも１つのキャリッジとを含み、前記少なくとも１つの封入可能構成要素のうちの少なくとも１つが、前記少なくとも１つの案内部材に係合可能とされていて前記横断軸に沿って前記案内部材と一緒に並進する、［７３］または［７４］に記載の装置。
［７６］
前記少なくとも１つのキャリッジが、少なくとも２つのキャリッジを含み、前記キャリッジのうちの第１のキャリッジおよび第２のキャリッジが、前記キャリッジのうちの前記第１のキャリッジと前記第２のキャリッジとを互いに引き付けるための相補型付勢部材を含む、［７５］に記載の装置。
［７７］
前記少なくとも１つのキャリッジが、前記長手軸に沿って前方に突出しかつ前記ニップに近いその近位端に前記少なくとも１つの案内部材のうちの少なくとも１つが取り付けられた、細長いアームを含む、［７５］または［７６］に記載の装置。
［７８］
前記細長いアームの前記近位端に取り付けられた前記少なくとも１つの案内部材のうちの前記少なくとも１つが、それを通じて前記少なくとも１つの封入可能構成要素のうちの少なくとも１つを挿入することができる内部チャネルが内部に画定されているノズルを含む、［７７］に記載の装置。
［７９］
前記ノズルが、先細端部ノズルである、［７８］に記載の装置。
［８０］
前記ノズルの前記先細端部が、前記少なくとも２つの隣接ロールの曲率半径と実質的に一致する曲率半径を持つ外側表面を有する、［７９］に記載の装置。
［８１］
前記細長いアームの前記近位端に取り付けられた前記少なくとも１つの案内部材のうちの前記少なくとも１つが、それを通じて前記少なくとも１つの封入可能構成要素のうちの少なくとも１つを挿入することができる通り穴が内部に画定されている針を含む、［７７］に記載の装置。
［８２］
前記少なくとも１つの並進ユニットが、前記横断軸に沿って延在する複数のプーリの周囲に回転可能に取り付けられかつ前記少なくとも１つのキャリッジに動作的に接続された少なくとも１つのベルトをさらに含む、［７５］から［８１］のいずれか一項に記載の装置。
［８３］
前記プーリのうちの前記少なくとも１つが、前記少なくとも１つのベルトのうちの少なくとも１つの回転と前記少なくとも１つのキャリッジのうちの少なくとも１つの並進とに関与する駆動プーリである、［８２］に記載の装置。
［８４］
前記少なくとも１つのベルトが、第１のベルト区間および第２のベルト区間を有し、前記少なくとも１つのキャリッジのうちの少なくとも１つが、前記第１のベルト区間に接続される、［８２］または［８３］に記載の装置。
［８５］
前記少なくとも１つのキャリッジが、少なくとも２つのキャリッジを含み、前記少なくとも１つのベルトが、第１のベルト区間および第２のベルト区間を有し、前記少なくとも２つのキャリッジのうちの第１のキャリッジが、前記第１のベルト区間に接続され、前記少なくとも２つのキャリッジのうちの第２のキャリッジが、前記第２のベルト区間に切り離し可能に接続可能である、［８２］または［８３］に記載の装置。
［８６］
前記少なくとも１つの並進ユニットが、前記ニップに近いその近位端に少なくとも１つの案内部材が取り付けられている枢動可能アームを含み、前記少なくとも１つの封入可能構成要素のうちの少なくとも１つが、前記少なくとも１つの案内部材と係合可能とされて、前記案内部材と一緒に前記近位端から遠位の枢支点のまわりで枢動する、［７３］または［７４］に記載の装置。
［８７］
前記少なくとも１つの並進ユニットに動作的に接続された制御装置をさらに含む、［７３］から［８６］のいずれか一項に記載の装置。
［８８］
前記封入型構成要素ウェブを前記装置に沿って搬送する積層ユニットをさらに含む、［７３］から［８７］のいずれか一項に記載の装置。
［８９］
前記積層ユニットが、前記少なくとも２枚の連続封入フィルムのうちの少なくとも１枚の上に延在する接着剤層を加熱するための加熱ユニットをさらに含む、［８８］に記載の装置。
［９０］
接着剤層加熱器をさらに含む、［７３］から［８８］のいずれか一項に記載の装置。
［９１］
前記接着剤層加熱器が、前記ニップの上流に、また前記少なくとも２枚の連続封入フィルムのうちの少なくとも１枚の経路の近くに取り付けられている、［９０］に記載の装置。
［９２］
前記少なくとも２つの隣接ロールが、硬い芯と、前記硬い芯を取り巻く弾性スリーブとを含む、［７３］から［９１］のいずれか一項に記載の装置。
［９３］
前記少なくとも２枚の連続封入フィルム、および前記少なくとも１つの封入可能構成要素が、前記ニップにおいて互いに重ね合わせられて組立体を形成する、［７３］から［９２］のいずれか一項に記載の装置。
［９４］
前記生産ラインに沿って前記少なくとも２つの隣接ロールの下流に取り付けられて前記組立体に接触する被動ロールをさらに含む、［９３］に記載の装置。
［９５］
前記生産ラインの前記長手軸が、前記２つの隣接ロールの回転軸に対して実質的に垂直である、［７３］から［９４］のいずれか一項に記載の装置。
［９６］
前記少なくとも１つの封入可能構成要素のうちの少なくとも１つを前記生産ラインの前記長手軸に垂直をなす横断軸に沿って前記少なくとも２枚の連続封入フィルムの間に挿入するための、少なくとも１つの横方向挿入ユニットをさらに含み、前記少なくとも１つの横方向挿入ユニットが、前記生産ラインに沿って前記少なくとも２つの隣接ロールの上流に取り付けられている、［７３］から［９５］のいずれか一項に記載の装置。
［９７］
前記少なくとも１つの横方向挿入ユニットが、前記横断軸に沿って延在しかつ前記ニップに隣接する案内部材と、前記少なくとも１つの封入可能構成要素の細長いストリップを供給するための、前記案内部材に接続された少なくとも１つの封入可能構成要素送り装置と、前記案内部材に収容された前記細長いストリップを前記ニップの方へ押し出すための少なくとも１つの作動装置とを含む、［９６］に記載の装置。
［９８］
前記少なくとも１つの封入可能構成要素送り装置が、前記少なくとも１つの封入可能構成要素から細長いストリップを切り取るための少なくとも１つの切断ユニットをさらに含む、［９６］または［９７］に記載の装置。
［９９］
前記少なくとも１つの封入可能構成要素送り装置が、前記細長いストリップを挟持するためのクランプを有しかつ挟持した前記細長いストリップを前記案内部材内に並進させる少なくとも１つの並進可能部材をさらに含む、［９７］または［９８］に記載の装置。
［１００］
前記少なくとも１つの封入可能構成要素送り装置が、前記細長いストリップを前記案内部材に押し込むための並進ユニットをさらに含む、［９７］または［９８］に記載の装置。
［１０１］
前記少なくとも１つの横方向挿入ユニットが、前記生産ラインに沿って前記少なくとも２つの封入フィルム支持体の下流に取り付けられている、［９６］から［１００］のいずれか一項に記載の装置。
［１０２］
封入型構成要素ウェブを連続的に生産するための装置であって、
長手軸を有する生産ラインと、
間にニップを画定する少なくとも２つの隣接ロールと、
少なくとも２つの連続封入フィルム供給源を支持しかつ少なくとも２つの封入フィルム支持体から少なくとも２枚の連続封入フィルムを供給するように構成された少なくとも２つの封入フィルム支持体であって、前記生産ラインに沿って前記少なくとも２つの隣接ロールの上流に取り付けられている、前記少なくとも２つの封入フィルム支持体と、
少なくとも１つの封入可能構成要素を供給して前記２枚の連続封入フィルムの間に挿入するように構成された少なくとも１つの封入可能構成要素送り装置であって、前記生産ラインに沿って前記少なくとも２つの隣接ロールの上流に取り付けられている、前記少なくとも１つの封入可能構成要素送り装置と、
前記少なくとも１つの封入可能構成要素のうちの少なくとも１つを前記生産ラインの前記長手軸に垂直をなす横断軸に沿って前記２枚の連続封入フィルムの間に挿入するための少なくとも１つの横方向挿入ユニットであって、前記生産ラインに沿って前記少なくとも２つの隣接ロールの上流に取り付けられている、前記少なくとも１つの横方向挿入ユニットと
を含む、装置。
［１０３］
前記少なくとも１つの横方向挿入ユニットが、前記横断軸に沿って延在しかつ前記ニップに隣接する案内部材と、前記少なくとも１つの封入可能構成要素の細長いストリップを前記案内部材に供給するための、前記案内部材に接続された少なくとも１つの封入可能構成要素送り装置と、前記案内部材に収容された前記細長いストリップを前記ニップの方へ押し出すための少なくとも１つの作動装置とを含む、［１０２］に記載の装置。
［１０４］
前記少なくとも１つの封入可能構成要素送り装置が、前記細長いストリップを挟持するためのクランプを有しかつ挟持した前記細長いストリップを前記案内部材内に並進させる少なくとも１つの並進可能部材をさらに含む、［１０３］に記載の装置。
［１０５］
前記少なくとも１つの並進可能部材が、レピアを含む、［１０４］に記載の装置。
［１０６］
前記少なくとも１つの封入可能構成要素送り装置が、前記細長いストリップを前記案内部材に押し込むための並進ユニットをさらに含む、［１０３］に記載の装置。
［１０７］
前記並進ユニットが、空気ジェット送風機を含む、［１０６］に記載の装置。
［１０８］
前記少なくとも１つの案内部材が、前記ニップに向けられた前方開口を有する細長いＣ形の部材である、［１０３］から［１０７］のいずれか一項に記載の装置。
［１０９］
前記少なくとも１つの作動装置が、前記案内部材に収容された前記細長いストリップを前記ニップの方に押し出すための並進可能アームを有する液圧シリンダを含む、［１０３］から［１０８］のいずれか一項に記載の装置。
［１１０］
前記少なくとも１つの封入可能構成要素送り装置が、前記少なくとも１つの封入可能構成要素から前記細長いストリップを切り取るための少なくとも１つの切断ユニットをさらに含む、［１０３］から［１０９］のいずれか一項に記載の装置。
［１１１］
前記少なくとも１つの横方向挿入ユニットが、前記生産ラインに沿って前記少なくとも２つの封入フィルム支持体の下流に取り付けられている、［１０２］から［１１０］のいずれか一項に記載の装置。
［１１２］
前記封入型構成要素ウェブを前記装置に沿って搬送する積層ユニットをさらに含む、［１０２］から［１１１］のいずれか一項に記載の装置。
［１１３］
前記積層ユニットが、前記少なくとも２枚の連続封入フィルムのうちの少なくとも１枚の上に延在する接着剤層を加熱するための加熱ユニットをさらに含む、［１１２］に記載の装置。
［１１４］
接着剤層加熱器をさらに含む、［１０２］から［１１３］のいずれか一項に記載の装置。
［１１５］
前記接着剤層加熱器が、前記ニップの上流に、また前記少なくとも２枚の連続封入フィルムのうちの少なくとも１枚の経路の近くに取り付けられている、［１１４］に記載の装置。
［１１６］
前記少なくとも２つの隣接ロールが、硬い芯と、前記硬い芯を取り巻く弾性スリーブとを含む、［１０２］から［１１５］のいずれか一項に記載の装置。
［１１７］
前記少なくとも２枚の連続封入フィルム、および前記少なくとも１つ封入可能構成要素が、前記ニップにおいて互いに重ね合わせられて組立体を形成する、［１０２］から［１１６］のいずれか一項に記載の装置。
［１１８］
前記生産ラインに沿って前記少なくとも２つの隣接ロールの下流に取り付けられて前記組立体に接触する被動ロールをさらに含む、［１１７］に記載の装置。
［１１９］
前記生産ラインの前記長手軸が、前記２つの隣接ロールの回転軸に対して実質的に垂直である、［１０２］から［１１８］のいずれか一項に記載の装置。
［１２０］
前記少なくとも１つの封入可能構成要素送り装置によって供給された前記少なくとも１つの封入可能構成要素のうちの少なくとも１つを横方向に移動させるための少なくとも１つの並進ユニットをさらに含み、前記少なくとも１つの並進ユニットが、前記生産ラインに沿って前記少なくとも２つの隣接ロールの上流に、また前記少なくとも１つの封入可能構成要素送り装置の下流に取り付けられており、また、前記少なくとも１つの並進ユニットが、前記ニップに隣接して取り付けられている、［１１９］に記載の装置。
［１２１］
前記少なくとも１つの並進ユニットが、前記生産ラインの前記長手軸に垂直をなす前記横断軸に沿って延在する少なくとも１つの細長い軌道と、前記細長い軌道に摺動可能に取り付けられかつ少なくとも１つの案内部材が取り付けられた、少なくとも１つのキャリッジとを含み、前記少なくとも１つの封入可能構成要素のうちの少なくとも１つが、前記少なくとも１つの案内部材と係合可能とされていて、前記横断軸に沿って前記案内部材と一緒に並進する、［１２０］に記載の装置。
［１２２］
前記少なくとも１つのキャリッジが、前記長手軸に沿って前方に突出しかつ前記ニップに近いその近位端に前記少なくとも１つの案内部材のうちの少なくとも１つが取り付けられた、細長いアームを含む、［１２１］に記載の装置。
［１２３］
前記細長いアームの前記近位端に取り付けられた前記少なくとも１つの案内部材のうちの前記少なくとも１つが、それを通じて前記少なくとも１つの封入可能構成要素のうちの少なくとも１つを挿入することができる内部チャネルが内部に画定されているノズルを含む、［１２２］に記載の装置。
［１２４］
前記ノズルが、先細端部ノズルである、［１２３］に記載の装置。
［１２５］
前記ノズルの前記先細端部が、前記少なくとも２つの隣接ロールの曲率半径と実質的に一致する曲率半径を持つ外側表面を有する、［１２４］に記載の装置。
［１２６］
前記細長いアームの前記近位端に取り付けられた前記少なくとも１つの案内部材のうちの前記少なくとも１つが、それを通じて前記少なくとも１つの封入可能構成要素のうちの少なくとも１つを挿入することができる通り穴が内部に画定されている針を含む、［１２２］に記載の装置。
［１２７］
前記少なくとも１つの並進ユニットが、前記横断軸に沿って延在する複数のプーリの周囲に回転可能に取り付けられかつ前記少なくとも１つのキャリッジに動作的に接続された少なくとも１つのベルトをさらに含む、［１２１］から［１２６］のいずれか一項に記載の装置。
［１２８］
前記プーリのうちの前記少なくとも１つが、前記少なくとも１つのベルトのうちの少なくとも１つの回転と前記少なくとも１つのキャリッジのうちの少なくとも１つの並進とに関与する駆動プーリである、［１２７］に記載の装置。
［１２９］
前記少なくとも１つのベルトが、第１のベルト区間および第２のベルト区間を有し、前記少なくとも１つのキャリッジのうちの少なくとも１つが、前記第１のベルト区間に接続される、［１２７］または［１２８］に記載の装置。
［１３０］
前記少なくとも１つのキャリッジが、少なくとも２つのキャリッジを含み、前記少なくとも１つのベルトが、第１のベルト区間および第２のベルト区間を有し、前記少なくとも２つのキャリッジのうちの第１のキャリッジが、前記第１のベルト区間に接続され、前記少なくとも２つのキャリッジのうちの第２のキャリッジが、前記第２のベルト区間に切り離し可能に接続可能である、［１２７］または［１２８］に記載の装置。
［１３１］
前記少なくとも１つの並進ユニットが、前記ニップに近いその近位端に少なくとも１つの案内部材が取り付けられている枢動可能アームを含み、前記少なくとも１つの封入可能構成要素のうちの少なくとも１つが、前記少なくとも１つの案内部材と係合可能とされていて、前記案内部材と一緒に前記近位端から遠位の枢支点のまわりで枢動する、［１２０］に記載の装置。
［１３２］
前記少なくとも１つの並進ユニットに動作的に接続された制御装置をさらに含む、［１２０］から［１３１］のいずれか一項に記載の装置。